(57)【要約】【課題】新しい認証装置による認証結果を容易に利用することができる作動可否決定装置を提供する。【解決手段】認証装置による認証が成立したことに基づいて、認証装置に対応する信頼度を取得する信頼度取得部４７２と、作動を許可するか否かを判断する作動対象機器に対する作動許可閾値を記憶した記憶部４６と、信頼度取得部４７２が取得した信頼度と作動許可閾値ＴＨとを比較して、作動対象機器の作動を許可するか否かを決定する作動許可決定部４７３とを備える。信頼度により作動対象機器の作動を許可するか否かを決定するので、新しい認証装置を追加した場合にも、その新しい認証装置に対して信頼度を設定すれば、追加前の認証装置と同様に扱って、作動対象機器を作動させるか否かを決定することができる。よって、新しい認証装置による認証結果を容易に利用することができる。【選択図】図３
2020066860.tif 000002
【特許請求の範囲】
【請求項１】
認証装置による認証が成立したことに基づいて、前記認証装置に対応する信頼度を取得する信頼度取得部（４７２）と、
作動を許可するか否かを判断する作動対象機器に対する作動許可閾値を記憶した閾値記憶部（４６）と、
前記信頼度取得部が取得した前記信頼度と前記作動許可閾値とを比較して、前記作動対象機器の作動を許可するか否かを決定する作動許可決定部（４７３）と、
を備える作動可否決定装置。
【請求項２】
前記作動許可決定部は、前記信頼度取得部が複数の認証装置に対する信頼度を取得した場合、信頼度の合計値と前記作動許可閾値とを比較する、請求項１に記載の作動可否決定装置。
【請求項３】
前記信頼度取得部は、前記認証装置が行う認証の種類に基づいて前記信頼度を決定するようになっており、
前記認証の種類に基づいて定まる前記信頼度の大きさ、および、前記作動対象機器に対する前記作動許可閾値の大きさの少なくとも一方を変更するセキュリティレベル変更部（４７４）を備える、請求項１または２に記載の作動可否決定装置。
【請求項４】
前記作動可否決定装置は、車両（５）に搭載され、
前記作動対象機器は、前記車両に搭載された予め設定されている機器である請求項３に記載の作動可否決定装置。
【請求項５】
前記信頼度取得部は、前記車両に持ち込んで使用可能な外部認証装置（３）から、認証が成功したことを取得する請求項４に記載の作動可否決定装置。
【請求項６】
前記認証装置が、前記車両に備えられてユーザが操作可能な部材に対して、所定の手順で操作がされたことにより認証が成功したと判断する操作手順認証装置であり、
前記信頼度取得部は、前記操作手順認証装置による認証が成功した場合に前記信頼度を取得する、請求項４または５に記載の作動可否決定装置。
【請求項７】
前記セキュリティレベル変更部は、ユーザの設定操作に基づいて、前記信頼度の大きさおよび前記作動許可閾値の大きさの少なくとも一方を変更する、請求項３〜６のいずれか１項に記載の作動可否決定装置。
【請求項８】
前記セキュリティレベル変更部は、時間帯により、前記信頼度の大きさおよび前記作動許可閾値の大きさの少なくとも一方を変更する、請求項３〜７のいずれか１項に記載の作動可否決定装置。
【請求項９】
前記セキュリティレベル変更部は、場所により、前記信頼度の大きさおよび前記作動許可閾値の大きさの少なくとも一方を変更する、請求項３〜８のいずれか１項に記載の作動可否決定装置。
【発明の詳細な説明】
【技術分野】
【０００１】
作動対象機器の作動可否を決定する作動可否決定装置に関する。
【背景技術】
【０００２】
ある機器の作動可否を決定する作動可否決定装置が広く知られている。特許文献１には、車載機器の作動を許可するか否かを、指紋認証、虹彩認証、静脈パターン認証などの種々の生体認証を行う認証装置による認証結果に基づいて決定することが開示されている。また、特許文献１には、生体認証する装置を追加することも開示されている。
【先行技術文献】
【特許文献】
【０００３】
【特許文献１】特開２０１１−２２５０６６号公報
【発明の概要】
【発明が解決しようとする課題】
【０００４】
生体認証する装置を追加することで、セキュリティ性を向上させることができる可能性がある。また、生体認証以外の認証方法で認証する装置を追加しても、セキュリティ性を向上させることができる可能性がある。
【０００５】
認証装置を追加する場合、追加する認証装置による認証結果を受け付けて作動対象機器の作動を許可する制御も追加することが考えられる。
【０００６】
しかし、認証装置を追加するごとに、追加する認証装置による認証結果を受け付けて作動対象機器の作動を許可する制御を追加することは手間である。特に、認証装置による認証が成功した場合に作動を許可する作動対象機器が複数ある場合、それぞれの作動対象機器に対する制御を全部変更する必要があるとすれば、認証装置の追加の手間が大きい。
【０００７】
本開示は、この事情に基づいて成されたものであり、その目的とするところは、新しい認証装置による認証結果を容易に利用することができる作動可否決定装置を提供することにある。
【課題を解決するための手段】
【０００８】
上記目的は独立請求項に記載の特徴の組み合わせにより達成され、また、下位請求項は更なる有利な具体例を規定する。特許請求の範囲に記載した括弧内の符号は、一つの態様として後述する実施形態に記載の具体的手段との対応関係を示すものであって、開示した技術的範囲を限定するものではない。
【０００９】
上記目的を達成するための１つの開示は、
認証装置による認証が成立したことに基づいて、認証装置に対応する信頼度を取得する信頼度取得部（４７２）と、
作動を許可するか否かを判断する作動対象機器に対する作動許可閾値を記憶した閾値記憶部（４６）と、
信頼度取得部が取得した信頼度と作動許可閾値とを比較して、作動対象機器の作動を許可するか否かを決定する作動許可決定部（４７３）と、
を備える作動可否決定装置である。
【００１０】
この作動可否決定装置は、ある認証装置による認証が成功した場合に、そのまま作動対象機器の作動を許可するのではなく、認証装置による認証が成功したことに対応する信頼度を取得する。作動対象機器に対しては作動許可閾値が設定されており、作動許可決定部は、作動許可閾値と信頼度とを比較して、作動対象機器の作動を許可するか否かを決定する。
【００１１】
このようにして作動対象機器の作動を許可するか否かを決定するので、新しい認証装置を追加した場合にも、その新しい認証装置に対して信頼度を設定すれば、追加前の認証装置と同様に扱って、作動対象機器を作動させるか否かを決定することができる。よって、新しい認証装置による認証結果を容易に利用することができる。
【図面の簡単な説明】
【００１２】
【図１】車両電子キーシステム１の構成図である。
【図２】車載機４の構成を示すブロック図である。
【図３】照合ＥＣＵ４７が備える機能を示す図である。
【図４】照合ＥＣＵ４７が実行する処理の一例を示すフローチャートである。
【発明を実施するための形態】
【００１３】
以下、実施形態を図面に基づいて説明する。図１は、車両電子キーシステム１の構成図である。車両電子キーシステム１は、電子キー２と、スマートフォン３と、車載機４とを備える。電子キー２とスマートフォン３はユーザに携帯され、車載機４は車両５に搭載される。
【００１４】
車両電子キーシステム１は、電子キー２を操作しなくても電子キー２と車載機４との間で通信を行って電子キー２の認証を行い、電子キー２に対する認証が成功したことに基づいて、所定の車載機器の作動を許可するシステムである。ただし、本実施形態の車両電子キーシステム１は、直接的には、電子キー２の認証が成功したことにより所定の車載機器の作動を許可するのではなく、信頼度が作動許可閾値ＴＨ以上になったことにより車両５に搭載された作動対象機器の作動を許可する。作動対象機器は、たとえば、車両５のドアに設けられたドアロック機構、車両５に搭載されたエンジンなどである。
【００１５】
電子キー２は、車載機４が送信するリクエスト信号を受信する。そして、そのリクエスト信号に応答するレスポンス信号をＲＦ帯の電波で車載機４に返信する。レスポンス信号には、予め記憶されているＩＤコードが含まれている。
【００１６】
スマートフォン３は、本実施形態では外部認証装置として機能する。外部認証装置は、車両５に持ち込むことができる車両外の認証装置であり、車両５に持ち込むことができるので、携帯可能な装置である。外部認証装置は、その装置を携帯する個人が、登録済みの正規のユーザであることを認証する装置である。スマートフォン３は、個人を認証する種々の方法を採用することができる。たとえば、スマートフォン３は、生体認証で個人を認証することができる。スマートフォン３が実行する生体認証の具体例としては、顔認証、指紋認証、虹彩認証などがある。スマートフォン３は、顔認証を行う場合には顔認証装置であり、指紋認証を行う場合には指紋認証装置であり、虹彩認証を行う場合には虹彩認証装置である。また、スマートフォン３が行う認証方法は、生体認証に限られず、パスワードによる認証でもよい。パスワードによる認証を行う場合には、パスワード認証装置である。
【００１７】
スマートフォン３は、車載機４と通信可能であり、認証に成功した場合に、認証成功と、認証成功した認証方法とを表す信号を無線通信により車載機４へ送信する。
【００１８】
［車載機４の構成］
図２に示すように、車載機４は、外部認証通信部４１、キー通信部４２、アンロックセンサ４３、ロックセンサ４４、プッシュスタートボタン４５、記憶部４６、照合ＥＣＵ４７を備える。
【００１９】
外部認証通信部４１は、本実施形態における外部認証装置であるスマートフォン３と通信する通信部である。通信方式は、スマートフォン３と通信できれば特に制限はない。たとえば、外部認証通信部４１は、ブルートゥース（登録商標）などの近距離無線通信規格に従って無線通信を行う。
【００２０】
キー通信部４２は、ＬＦ送信部４２１、車外アンテナ４２２、車内アンテナ４２３、ＲＦ受信部４２４を備える。ＬＦ送信部４２１は、リクエスト信号などの信号を、ＬＦ帯（たとえば１３５ｋＨｚ）の搬送波で変調して車外アンテナ４２２、あるいは、車内アンテナ４２３から送信させる。車外アンテナ４２２、車内アンテナ４２３のいずれから信号を送信させるかは、送信する信号のトリガが何であるかにより定まる。たとえば、アンロックセンサ４３あるいはロックセンサ４４がユーザ操作を検出した場合には車外アンテナ４２２が用いられ、プッシュスタートボタン４５が操作された場合には、車内アンテナ４２３が用いられる。
【００２１】
アンロックセンサ４３は、車両５のドアハンドルあるいはその付近に設置され、車両５のドアのロックを解錠させる際にユーザが触れるセンサである。ロックセンサ４４は、車両５のドアハンドルあるいはその付近に設置され、車両５のドアをロックさせる際にユーザが触れるセンサである。プッシュスタートボタン４５は、車両５の駆動源を駆動状態あるいは駆動許可状態にする際にユーザが操作するボタンであり、車両５の車室に配置される。車両５の駆動源は、たとえば、エンジンおよびモータの一方または両方である。
【００２２】
車外アンテナ４２２は、車両５のドアハンドル内などに設けられ、車両５の外部へ電波を送信する。車内アンテナ４２３は、車室内などに設けられ、車両５の内部に電波を送信する。
【００２３】
車外アンテナ４２２から車両５の外部へリクエスト信号が送信された場合、リクエスト信号を受信できる範囲は、車両５の周囲の１ｍ程度である。電子キー２は、リクエスト信号を受信すると、ＲＦ帯（たとえば３１５ＭＨｚ）の電波でレスポンス信号を返信する。ＲＦ受信部４２４は、電子キー２が送信した信号を受信して復調する。
【００２４】
記憶部４６は、不揮発性かつ書き換え可能であって、認証装置と信頼度との対応関係を示すテーブル（以下、信頼度テーブル）が記憶されている。本実施形態における認証装置は、スマートフォン３と照合ＥＣＵ４７である。スマートフォン３は、前述したように、生体認証、パスワード認証などによりユーザを認証する。照合ＥＣＵ４７は、電子キー２が正規のキーであるかを認証する。
【００２５】
認証装置により、認証の信頼性は異なる。そのため、記憶部４６には、信頼度テーブルが記憶されているのである。たとえば、生体認証とパスワード認証を比較すると、生体認証を行う認証装置に対しては相対的に高い信頼度が設定される。また、電子キー２の認証を行う認証装置に対しては、生体認証とパスワード認証の間の信頼度が設定されている。
【００２６】
また、記憶部４６は、閾値記憶部に相当しており、作動対象機器と作動許可閾値との対応関係を示すテーブル（以下、閾値テーブル）が記憶されている。作動対象機器の一例は、エンジンおよびドアロック機構である。エンジンの作動が許可されると、車両５の移動が可能である一方で、ドアロックが解錠されただけでは車両５の移動はできない。したがって、第三者による盗難を考えて、エンジンに対する作動許可閾値を、ドアロック機構に対する作動許可閾値よりも高く設定することが考えられる。
【００２７】
照合ＥＣＵ４７は、少なくとも１つのプロセッサを備えた構成により実現できる。たとえば、照合ＥＣＵ４７は、ＣＰＵ、ＲＯＭ、ＲＡＭ、Ｉ／Ｏ、およびこれらの構成を接続するバスラインなどを備えたコンピュータにより実現できる。ＲＯＭには、汎用的なコンピュータを照合ＥＣＵ４７として機能させるためのプログラムが格納されている。ＣＰＵが、ＲＡＭの一時記憶機能を利用しつつ、ＲＯＭに記憶されたプログラムを実行することで、照合ＥＣＵ４７は、図３に示すように、キー照合部４７１、信頼度取得部４７２、作動許可決定部４７３、セキュリティレベル変更部４７４として機能する。これらの機能が実行されると、プログラムに対応する方法が実行される。
【００２８】
キー照合部４７１は、電子キー２を認証するためにキー認証処理を実行する。キー認証処理では、電子キー２に送信する信号を生成する。この信号は、たとえば、電子キー２に応答を要求するリクエスト信号である。そして、照合ＥＣＵ４７は、生成した信号をＬＦ送信部４２１に出力する。
【００２９】
そして、ＲＦ受信部４２４が復調した信号を解析する。具体的には、復調した信号が、電子キー２が送信した信号であって、かつ、その信号にＩＤコードが含まれており、そのＩＤコードが、正規のＩＤコードと一致するか否か（つまり、照合成立か否か）を判定する。
【００３０】
リクエスト信号を車内アンテナ４２３から送信させ、そのリクエスト信号に応答して電子キー２から送信された信号を用いた照合を車室内照合という。一方、リクエスト信号を車外アンテナ４２２から送信させ、そのリクエスト信号に応答して電子キー２から送信された信号を用いた照合を車外照合という。なお、車外照合は、車室外照合と言われることもある。
【００３１】
キー照合部４７１は、車外照合条件が成立している状態では周期的に車外照合を行い、車室内照合条件が成立した場合には車室内照合を行う。車外照合条件は、たとえば、電源オフかつドアロック状態である。アンロックセンサ４３がオンになったこと、ロックセンサ４４がオンなったことも車外照合条件の一例である。
【００３２】
車室内照合条件の一例として、ドライバが車室内にいるときに可能な所定の操作が行われたとき、という条件がある。この所定の操作は、たとえば、ブレーキペダルの踏み込み操作である。また、プッシュスタートボタン４５の操作も、所定の操作の一例である。
【００３３】
照合ＥＣＵ４７は、ドアロックＥＣＵ６、電源ＥＣＵ７と接続されている。ドアロックＥＣＵ６は、車両５のドアのロック機構がロック状態になっているかアンロック状態になっているかを検出する。また、そのロック機構が備えるロックモータおよびアンロックモータを駆動して、ロック機構をロック状態からアンロック状態へ、または、アンロック状態からロック状態に切り替える。電源ＥＣＵ７は、エンジンなどの駆動源を制御するＥＣＵに対して、始動要求信号を送信する。
【００３４】
ロックセンサ４４がオンなったことに基づいて実行した車外照合が成立した場合、照合ＥＣＵ４７は、ドアロックＥＣＵ６へ、車両５のドアのロック機構をロック状態とすることを指示する信号を出力する。プッシュスタートボタン４５が押されたことに基づいて実行した車室内照合が成立した場合、照合ＥＣＵ４７は、電源ＥＣＵ７へ、駆動源の始動を指示する信号を出力する。
【００３５】
信頼度取得部４７２は、認証装置による認証が成功した場合に、そのことを認証装置から取得する。そして、認証装置に対応する信頼度を記憶部４６から取得する。
【００３６】
作動許可決定部４７３は、信頼度取得部４７２が信頼度を取得した場合、その信頼度に基づいて、作動対象機器を許可するか否かを決定する。そのために、作動許可決定部４７３は、作動対象機器が複数ある場合には、作動を許可するか否かを決定する作動対象機器がどれであるかを決定する。この作動許可決定部４７３を備えている照合ＥＣＵ４７は、作動可否決定装置に相当する。
【００３７】
作動対象機器を決定する条件は、種々に設定可能である。たとえば、本実施形態では、キー照合部４７１が車外照合を行った場合には、作動対象機器はドアロック機構とし、プッシュスタートボタン４５が押されたことによりキー照合部４７１が車室内照合を行った場合には、作動対象機器はエンジンとする。ドアロック機構の作動を許可した場合には、ドアロック機構の作動を指示する信号をドアロックＥＣＵ６に出力し、エンジンの作動を許可した場合には、エンジンの作動を指示する信号を電源ＥＣＵ７に出力する。
【００３８】
セキュリティレベル変更部４７４は、信頼度テーブルに規定されている、認証装置に対する信頼度の大きさを、ユーザ設定操作に基づいて変更する。認証装置は認証の種類を示しているので、セキュリティレベル変更部４７４は、認証の種類に対する信頼度の大きさを、ユーザ設定操作に基づいて変更する。ユーザの設定操作は、ここでは、スマートフォン３により行う。スマートフォン３の操作により指示された変更後の信頼度を示す信号は、スマートフォン３から外部認証通信部４１に送信される。セキュリティレベル変更部４７４は、外部認証通信部４１から、変更後の信頼度を取得する。
【００３９】
［照合ＥＣＵ４７が実行する処理の一例］
照合ＥＣＵ４７が実行する処理の一例を図４に示す。次に、この図４を用いて、キー照合部４７１、信頼度取得部４７２、作動許可決定部４７３が実行する処理をさらに説明する。
【００４０】
図４は、エンジン始動を許可するか否かを決定する際に照合ＥＣＵ４７が実行する処理を示している。照合ＥＣＵ４７は、プッシュスタートボタン４５が押された場合に、図４に示す処理を実行する。図４に示す処理において、ステップ（以下、ステップは省略）Ｓ１はキー照合部４７１が実行し、Ｓ２〜Ｓ６は信頼度取得部４７２が実行し、Ｓ７〜Ｓ１０は作動許可決定部４７３が実行する。
【００４１】
Ｓ１では、キー認証処理を実行する。キー認証処理は、前述したように、リクエスト信号とレスポンス信号の送受信を行うことにより、電子キー２が正規の電子キー２であるか否かを判定する処理である。
【００４２】
Ｓ２では、キー認証処理の結果、認証に成功したか否かを判断する。Ｓ２の判断結果がＮＯであれば、Ｓ９に進み、エンジン始動を禁止する。
【００４３】
Ｓ２の判断結果がＹＥＳである場合、すなわち、電子キー２の認証が成功した場合、本実施形態では、それだけではエンジン始動を許可せずに、Ｓ３〜Ｓ８の処理を実行する。Ｓ３では、スマートフォン３に認証結果を要求する。Ｓ３の処理は、具体的には、スマートフォン３で行われた認証処理の結果を要求する信号をスマートフォン３に送信する処理である。スマートフォン３では、スマートフォン３のロック解除時などに、予め認証処理が行われて、認証結果が記憶されているとする。スマートフォン３は、認証結果を要求する信号を受信した場合に、認証の種類と認証結果とを示す信号を車載機４に送信する。一例としては、スマートフォン３は、指紋認証が成功したことを示す信号を車載機４に送信する。スマートフォン３が送信した信号は、外部認証通信部４１が受信する。なお、図４の処理を実行する前に、先に、スマートフォン３から認証結果を取得しておいてもよい。
【００４４】
Ｓ４では、スマートフォン３が送信した信号を、外部認証通信部４１から取得する。Ｓ５では、Ｓ４で取得した信号に含まれている認証の種類を参照して、記憶部４６に記憶されている信頼度テーブルから、スマートフォン３で成功した認証に対する信頼度を取得する。また、この時点では、電子キー２の認証にも成功している。Ｓ５では、電子キー２の認証成功に対する信頼度も、記憶部４６に記憶されている信頼度テーブルから取得する。
【００４５】
Ｓ６では、信頼度を合計する。Ｓ５において、スマートフォン３で成功した認証の信頼度と、電子キー２の認証成功に対する信頼度を取得しているので、Ｓ６では、スマートフォン３で成功した認証の信頼度と電子キー２の認証成功に対する信頼度を合計する。合計した信頼度を、以下、合計信頼度とする。
【００４６】
Ｓ７では、作動対象機器に対する作動許可閾値ＴＨを閾値テーブルから取得する。図４に示すフローチャートは、プッシュスタートボタン４５が押されたことにより開始しているので、作動対象機器はエンジンである。したがって、閾値テーブルからエンジンに対する作動許可閾値ＴＨを取得する。
【００４７】
Ｓ８では、Ｓ６で算出した合計信頼度とＳ７で取得した作動許可閾値ＴＨとを比較し、合計信頼度が作動許可閾値ＴＨ以上か否かを判断する。Ｓ８の判断結果がＮＯであればＳ９に進み、エンジン始動を禁止する。したがって、合計信頼度が作動許可閾値ＴＨよりも小さい場合には、電子キー２の認証に成功していても、エンジン始動が禁止されることになる。
【００４８】
Ｓ８の判断結果がＹＥＳであればＳ１０に進む。Ｓ１０では、エンジン始動を許可することに決定する。そして、電源ＥＣＵ７に対してエンジンの始動を指示する信号を出力する。
【００４９】
［実施形態まとめ］
上述した車両電子キーシステム１では、認証装置である照合ＥＣＵ４７により電子キー２の認証が成功した場合、そのままエンジンなどの作動対象機器の作動を許可するのではなく、電子キー２の認証が成功したことに対応する信頼度を取得する（Ｓ５）。また、作動対象機器に対する作動許可閾値ＴＨも取得する（Ｓ７）。そして、信頼度と作動許可閾値ＴＨを比較して、作動対象機器の作動を許可するか否かを決定する（Ｓ８〜Ｓ１０）。
【００５０】
このようにして作動対象機器の作動を許可するか否かを決定するので、新しい認証装置を追加した場合にも、その新しい認証装置と信頼度との対応関係を設定すれば、追加前の認証装置と同様に扱って、作動対象機器を作動させるか否かを決定することができる。よって、新しい認証装置による認証結果を容易に利用することができる。
【００５１】
また、作動許可決定部４７３は、複数の認証装置に対する信頼度を取得した場合、合計信頼度を算出し（Ｓ６）、合計信頼度と作動許可閾値ＴＨとを比較する（Ｓ８）。信頼度を合計する処理が追加されるだけで、その他は、１つの認証装置の場合と同様の処理で作動対象機器の作動を許可するか否かを判断することができる。よって、複数の認証装置を必要とする高いセキュリティ性で作動対象機器の作動を許可することも容易に行える。
【００５２】
また、照合ＥＣＵ４７は、信頼度テーブルに規定されている、認証装置に対する信頼度の大きさを、ユーザ設定操作に基づいて変更するセキュリティレベル変更部４７４を備えている。これにより、ユーザは作動対象機器のセキュリティ性を変更することができる。
【００５３】
たとえば、車両５のユーザは、自分が常にスマートフォン３を携帯して車両５に乗るようになった場合に、電子キー２の信頼度だけでは、エンジンに対する作動許可閾値ＴＨを超えない値に、エンジンに対する電子キー２の信頼度を低下させることができる。これにより、電子キー２だけではエンジン始動ができないようになるので、車両５が盗難されにくくなる。
【００５４】
また、信頼度取得部４７２は、スマートフォン３から、認証が成功したことを取得するので、車両５に認証装置を追加しなくても、新しい認証装置による認証結果を利用して作動対象機器の作動を許可するか否かを決定することができる。
【００５５】
以上、実施形態を説明したが、開示した技術は上述の実施形態に限定されるものではなく、次の変形例も開示した範囲に含まれ、さらに、下記以外にも要旨を逸脱しない範囲内で種々変更して実施できる。
【００５６】
＜変形例１＞
実施形態では、認証装置としてキー照合部４７１を備えた照合ＥＣＵ４７とスマートフォン３とを説明したが、認証装置は、これらに限られない。認証装置として、所定の手順で操作がされたことにより認証が成功したと判断する操作手順認証装置を用いることができる。
【００５７】
操作手順認証装置が車両５に適用された場合、車両５に備えられてユーザが操作可能な部材に対する手順を判定することになる。部材の例としては車両５のドアがある。部材がドアである場合の手順は、種々設定可能であるが、たとえば、運転席ドアを開けてから、後席ドアを開から閉にし、その後、運転席ドアを閉める手順を設定するなどとすることができる。また、ドアと、ドアに設けられたアンロックスイッチとを組み合わせた手順とするなど、ユーザが操作可能な部材が複数種類であってもよい。
【００５８】
操作手順認証装置は、ハードウェアには、認証装置とは別の目的で設けられているものを使うことができるので、認証装置として追加しやすい。車両５に操作手順認証装置を追加する場合、照合ＥＣＵ４７などのＥＣＵが、部材の操作手順を判定する手順判定部を備えればよい。信頼度取得部４７２は、手順判定部から判定結果を取得する。そして、判定結果に基づいて、記憶部４６から操作手順認証装置に対応する信頼度を取得する。
【００５９】
＜変形例２＞
実施形態では、セキュリティレベル変更部４７４は、信頼度テーブルに規定されている、認証装置に対する信頼度の大きさを変更していた。しかし、信頼度の大きさに代えて、閾値テーブルに記憶されている作動許可閾値ＴＨを変更してもよい。Ｓ８において、信頼度と作動許可閾値ＴＨとを相対比較する。したがって、信頼度を大きくする、あるいは、小さくすることに代えて、作動許可閾値ＴＨを小さくする、あるいは、大きくしても、信頼度の大きさを変更する場合と同様、セキュリティレベルを変更することができる。また、信頼度と作動許可閾値ＴＨを両方共変更してもよい。
【００６０】
＜変形例３＞
信頼度テーブルに記憶されている信頼度および閾値テーブルに記憶されている作動許可閾値ＴＨを変更する条件は、ユーザ操作に限られない。セキュリティレベル変更部４７４は、時間帯により、信頼度の大きさおよび作動許可閾値ＴＨの大きさの少なくとも一方を変更してもよい。
【００６１】
例として、車両５のオーナーは、常に、スマートフォン３と電子キー２を携帯して車両５を運転する場合、車両５のオーナーが通勤で使用する時間帯は、作動許可閾値ＴＨを高くし、それ以外の時間帯は作動許可閾値ＴＨを低くする例が考えられる。このようにすると、車両５のオーナーが通勤で使用する時間帯はセキュリティレベルが高くなる。加えて、車両５のオーナーが通勤で使用しない時間帯は、電子キー２のみで車両５を運転できるようにして、電子キー２を家族等に貸せば、スマートフォン３まで貸すことなく、家族等が車両５を運転できるようになる。
【００６２】
＜変形例４＞
また、セキュリティレベル変更部４７４は、場所により、信頼度の大きさおよび作動許可閾値ＴＨの大きさの少なくとも一方を変更してもよい。
【００６３】
例として、車両５を通常使用する経路であれば、作動許可閾値ＴＨを低くし、それ以外の場所であれば、作動許可閾値ＴＨを高くする例が考えられる。このようにすれば、車両５が盗難されてしまうことを抑制できる。
【００６４】
＜変形例５＞
作動対象機器は、上述した例に限られず、車両５に搭載された種々の機器を作動対象機器とすることができ、また、車両に搭載されている機器にも限られない。
【００６５】
＜変形例６＞
実施形態では、作動対象機器別に作動許可閾値ＴＨを記憶した閾値テーブルを備えていたが、作動許可閾値ＴＨは作動対象機器によらず一定でもよい。また、信頼度も、認証装置によらず一定でもよい。
【００６６】
＜変形例７＞
実施形態では、信頼度取得部４７２は、認証装置から認証成功したことと認証の種類を取得しており、信頼度は記憶部４６から取得していた。しかし、認証装置が信頼度を送信してもよい。
【符号の説明】
【００６７】
１：車両電子キーシステム    ２：電子キー    ３：スマートフォン（外部認証装置）    ４：車載機    ５：車両    ６：ドアロックＥＣＵ    ７：電源ＥＣＵ    ４１：外部認証通信部    ４２：キー通信部    ４３：アンロックセンサ    ４４：ロックセンサ    ４５：プッシュスタートボタン    ４６：記憶部    ４７：照合ＥＣＵ（認証装置）    ４２１：ＬＦ送信部    ４２２：車外アンテナ    ４２３：車内アンテナ    ４２４：ＲＦ受信部    ４７１：キー照合部    ４７２：信頼度取得部    ４７３：作動許可決定部    ４７４：セキュリティレベル変更部
【図１】
2020066860.tif 000003
【図２】
2020066860.tif 000004
【図３】
2020066860.tif 000005
【図４】
2020066860.tif 000006